(57)【要約】【課題】電子キーシステムとしてのセキュリティ性を維持しつつ、電子キーの識別コードを施解錠装置に登録するに際しての利便性を高めることのできる電子キーシステムを提供する。【解決手段】この電子キーシステムでは、施解錠装置３０に登録されている識別コードと電子キーＫｐの識別コードとが一致したときに玄関ドアのロック／アンロックを行う。ここでは、施解錠装置３０に暗号鍵Ｃｑを記憶させるとともに、電子キーＫｐが、暗号鍵Ｃｑで暗号化された登録情報コードＲｑを含む登録情報信号、及び同電子キーの識別コードＩＤｐを含む識別コード信号を送信する。そして、施解錠装置３０は、登録情報コードに含まれている暗号化された登録情報コードＲｑを、ＲＯＭ３３ｂに記憶されている暗号鍵Ｃｑにより復号化することができた旨の判定に基づいて、識別コード信号に含まれている識別コードＩＤｐを登録する。【選択図】図７
2010168751.tif 000002
【特許請求の範囲】
【請求項１】
ドアのロック／アンロックを許可する施解錠装置と電子キーとの間の無線通信を通じて前記施解錠装置に登録された識別コードと前記電子キーに設定された識別コードとの照合が行われるとともに、同照合を通じて互いの識別コードが一致している旨が判定されたとき、前記施解錠装置を通じて前記ドアのロック／アンロックが許可される電子キーシステムにおいて、
前記施解錠装置には、前記無線通信を通じて送受信される無線信号を暗号化及び復号化するための暗号鍵が記憶され、前記電子キーは、前記無線通信の際に前記暗号鍵により暗号化された無線信号、及び同電子キーの識別コードを含む無線信号をそれぞれ送信するとともに、前記施解錠装置は、前記電子キーから送信される暗号化された無線信号を同装置に記憶された暗号鍵により復号化することができた旨の判定に基づいて、前記電子キーから送信される無線信号に含まれている識別コードの登録を行う
ことを特徴とする電子キーシステム。
【請求項２】
前記電子キーから送信される暗号化された無線信号には、前記施解錠装置が前記電子キーの識別コードを登録するか否かを判定するための登録情報が含まれている
請求項１に記載の電子キーシステム。
【請求項３】
前記施解錠装置に登録された前記電子キーの識別コードを消去するための登録消去用電子キーを更に備え、同登録消去用電子キーは、前記無線通信を通じて前記施解錠装置に登録されている電子キーの識別コードを消去する旨の登録消去信号を前記施解錠装置に送信するとともに、前記施解錠装置は、前記登録消去信号の受信に基づいて、前記登録されている電子キーの識別コードを消去する
請求項１又は２に記載の電子キーシステム。
【発明の詳細な説明】
【技術分野】
【０００１】
本発明は、例えば車両や住宅などに設けられた施解錠装置と電子キーとの間の無線通信を通じて車両ドアや住宅の玄関ドアのロック／アンロックを許可する電子キーシステムに関する。
【背景技術】
【０００２】
この種の電子キーシステムの一つとして、ユーザが住宅の玄関ドアに設けられた通信装置に電子キー（携帯機）を接近させることにより玄関ドアのロック／アンロックが自動的に行われるものが周知である。こうした住宅の電子キーシステムでは、通信装置の周辺に設定されたエリアに電子キーが進入したときに同通信装置と電子キーとの間で無線通信が行われるとともに、この無線通信を通じて電子キーから送信される識別コード（ＩＤコード）を含む信号が通信装置により受信される。そして、通信装置により受信された信号は、玄関ドアのロック／アンロックを実行する施解錠装置に伝達されるとともに、施解錠装置は、伝達された信号に含まれている電子キーの識別コードと同装置内のメモリに記憶されている識別コードとの照合を行う。また、施解錠装置は、この照合を通じて互いに識別コードが一致している旨を判定したとき、玄関ドアのロック／アンロックを実行する。
【０００３】
ところで、こうした電子キーシステムにあっては、識別コードの照合を行うために、電子キーの識別コードを予め施解錠装置のメモリに記憶させる、いわゆる識別コードの登録を行う必要がある。そこで、特許文献１に記載の電子キーシステムを含めて、従来一般の電子キーシステムでは、例えば玄関ドアの屋内側の部分にプッシュ操作式の登録ボタンを設けた上で、この登録ボタンがプッシュ操作された際にシステムを登録モードに切り替えて電子キーの識別コードの登録を許可するようにしている。具体的には、システムが登録モードに設定されている際に電子キーと通信装置との間で無線通信が行われると、電子キーの識別コードを含む信号が施解錠装置に入力されて、施解錠装置では、入力された信号に含まれている電子キーの識別コードを同装置のメモリに記憶する。また、特許文献１に記載の電子キーシステムでは、この登録ボタンを被覆するカバーを設けることにより、登録ボタンを隠蔽するようにしている。
【０００４】
電子キーシステムとしてのこうした構成によれば、電子キーの識別コードの登録の際に、隠蔽された登録ボタンをユーザがプッシュ操作する必要があるため、第三者による電子キーの識別コードの登録を未然に防止することができるようになり、ひいては電子キーシステムとしてのセキュリティ性を確保することができるようになる。
【先行技術文献】
【特許文献】
【０００５】
【特許文献１】特開２００１−２６２８８３号公報
【発明の概要】
【発明が解決しようとする課題】
【０００６】
このようにシステムを登録モードに切り替えるための登録ボタンを適宜のカバーなどにより隠蔽するようにすることで、確かに電子キーシステムのセキュリティ性を確保することができるようにはなる。ただし、このような電子キーシステムにあっては、ユーザは登録ボタンをプッシュ操作しないと電子キーの識別コードを登録することができないため、このことがユーザに登録操作を面倒なものと感じさせる要因の一つとなっていた。
【０００７】
なお、このような課題は、住宅の電子キーシステムに限らず、例えばユーザが電子キーを所持した状態で車両ドアに接近したときに車両ドアのアンロックを自動的に実行するとともに、車両ドアから離れたときに車両ドアのロックを自動的に実行する車両の電子キーシステムにおいても共通する課題である。
【０００８】
本発明は、こうした実情に鑑みてなされたものであり、その目的は、電子キーシステムとしてのセキュリティ性を維持しつつ、電子キーの識別コードを施解錠装置に登録するに際しての利便性を高めることのできる電子キーシステムを提供することにある。
【課題を解決するための手段】
【０００９】
上記課題を解決するために、請求項１に記載の発明は、ドアのロック／アンロックを許可する施解錠装置と電子キーとの間の無線通信を通じて前記施解錠装置に登録された識別コードと前記電子キーに設定された識別コードとの照合が行われるとともに、同照合を通じて互いの識別コードが一致している旨が判定されたとき、前記施解錠装置を通じて前記ドアのロック／アンロックが許可される電子キーシステムにおいて、前記施解錠装置には、前記無線通信を通じて送受信される無線信号を暗号化及び復号化するための暗号鍵が記憶され、前記電子キーは、前記無線通信の際に前記暗号鍵により暗号化された無線信号、及び同電子キーの識別コードを含む無線信号をそれぞれ送信するとともに、前記施解錠装置は、前記電子キーから送信される暗号化された無線信号を同装置に記憶された暗号鍵により復号化することができた旨の判定に基づいて、前記電子キーから送信される無線信号に含まれている識別コードの登録を行うことを要旨としている。
【００１０】
同システムによれば、ユーザは、電子キーと施解錠装置と間の無線通信を行うだけで電子キーの識別コードを施解錠装置に登録することができるようになるため、ユーザによる登録ボタンのプッシュ操作の手間を省くことができるようになる。また、施解錠装置に記憶されている暗号鍵を用いて暗号化された無線信号を特定の電子キーから送信するようにすれば、この特定の電子キーの識別コードのみを施解錠装置に登録することができるようになるため、第三者による電子キーの識別コードの不正登録を未然に防止することもできる。したがって、電子キーシステムとしてのセキュリティ性を維持しつつ、電子キーの識別コードを施解錠装置に登録するに際しての利便性を高めることができるようになる。
【００１１】
請求項２に記載の発明は、請求項１に記載の電子キーシステムにおいて、前記電子キーから送信される暗号化された無線信号には、前記施解錠装置が前記電子キーの識別コードを登録するか否かを判定するための登録情報が含まれていることを要旨としている。
【００１２】
同システムによれば、施解錠装置は、電子キーから送信される暗号化された無線信号が同装置の暗号鍵により暗号化されたものであるか否かの判定のみならず、無線信号に含まれている登録情報に基づいて電子キーの識別コードを登録するか否かを判定することができるようになる。このため、ユーザが登録情報を適宜設定することで、識別コードを施解錠装置に登録するに際してのセキュリティレベルを高めることができるようになり、ひいては施解錠装置への識別コードの不正な登録を未然に防止することができるようになる。
【００１３】
請求項３に記載の発明は、請求項１又は２に記載の電子キーシステムにおいて、前記施解錠装置に登録された前記電子キーの識別コードを消去するための登録消去用電子キーを更に備え、同登録消去用電子キーは、前記無線通信を通じて前記施解錠装置に登録されている電子キーの識別コードを消去する旨の登録消去信号を前記施解錠装置に送信するとともに、前記施解錠装置は、前記登録消去信号の受信に基づいて、前記登録されている電子キーの識別コードを消去することを要旨としている。
【００１４】
従来一般の電子キーシステムにあっては、施解錠装置に登録されている電子キーの識別コードを消去する際に、例えば上述した登録ボタンとは別の登録消去ボタンをプッシュ操作するなどの操作が必要であり、このことがユーザに消去操作を面倒なものと感じさせる要因の一つとなっていた。この点、上記システムによれば、ユーザは、登録消去用電子キーと施解錠装置との間で無線通信を行って電子キーから施解錠装置に登録消去信号を送信するだけで、施解錠装置に登録されている電子キーの識別コードを消去することができるようになる。このため、識別コードを消去する際のユーザによる登録消去ボタンのプッシュ操作の手間を省くことができるようになり、ひいては施解錠装置から電子キーの識別コードを消去する際の利便性も高めることができるようになる。
【発明の効果】
【００１５】
本発明にかかる電子キーシステムによれば、電子キーシステムとしてのセキュリティ性を維持しつつ、電子キーの識別コードを施解錠装置に登録するに際しての利便性を高めることができるようになる。
【図面の簡単な説明】
【００１６】
【図１】本発明にかかる電子キーシステムの一実施形態についてそのシステム構成を模式的に示す図。
【図２】同実施形態の電子キーシステムについてそのシステム構成の一部を示すブロック図。
【図３】同実施形態の電子キーシステムについてその賃貸物件データベースに記憶されている登録情報の内容を模式的に示す図。
【図４】同実施形態の電子キーシステムについてその賃貸物件データベースに記憶されているタグナンバの変化態様を模式的に示す図。
【図５】登録情報コードの生成される様子を模式的に示す図。
【図６】同実施形態の電子キーシステムについてその玄関ドアの斜視構造を示す斜視図。
【図７】同実施形態の電子キーシステムについてそのシステム構成の一部を示すブロック図。
【図８】同実施形態の電子キーシステムによる電子キーの識別コードの登録及び玄関ドアのロック／アンロックにかかる処理についてその処理手順を示すフローチャート。
【発明を実施するための形態】
【００１７】
以下、本発明にかかる電子キーシステムを住宅の電子キーシステムに具体化した一実施形態について図１〜図８を参照して説明する。はじめに、図１を参照して、この実施形態にかかる住宅の電子キーシステムの概要について説明する。
【００１８】
同図１に示されるように、この住宅の電子キーシステムでは、賃貸物件管理会社が、各々異なる識別コード（ＩＤコード）ＩＤ１〜ＩＤｍの設定されたｍ個の電子キーＫ１〜Ｋｍを有するとともに、マンションに区画して建てられているｎ個の部屋（１号室〜ｎ号室）を保有している。そして、ユーザが、例えばｑ号室の部屋を借りようとしたとすると、賃貸物件管理会社では、電子キーＫ１〜Ｋｍのうちのいずれか１個の電子キー（例えば電子キーＫｐ）にｑ号室に対応した登録情報を記憶させた後、この電子キーＫｐをユーザに貸し出す。また、この住宅の電子キーシステムでは、ユーザが電子キーＫｐを使用してｑ号室の玄関ドアのロック／アンロックを実行しようとしたときに、ｑ号室の玄関ドアのロック／アンロックを実行する施解錠装置が、上記電子キーＫｐに記憶されている登録情報に基づいて電子キーＫｐの識別コードＩＤｐの登録を行う。これにより、ユーザは、電子キーＫｐの使用を通じてｑ号室の玄関ドアをロック／アンロックすることができるようになる。ちなみに、賃貸物件管理会社は、施解錠装置に登録された識別コードＩＤｐを消去するための登録消去用電子キーＫｅも有している。すなわち、賃貸物件管理会社は、登録消去用電子キーＫｅの使用を通じてｑ号室の玄関ドアの施解錠装置に登録されている識別コードＩＤｐを消去することで、電子キーＫｐの使用に基づくｑ号室の玄関ドアのロック／アンロック操作を禁止することもできる。
【００１９】
図２は、こうした住宅の電子キーシステムのうち、賃貸物件管理会社が電子キーＫ１〜Ｋｍに登録情報を記憶させる部分のシステム構成をブロック図として示したものであり、続いて、同図２を参照して、このシステムの構成、動作をより具体的に説明する。
【００２０】
同図２に示されるように、住宅の電子キーシステムは、ｎ個の各部屋に対応した登録情報Ｉｍ１〜Ｉｍｎが予め登録されている賃貸物件データベース１１と、同会社の店員により操作される電子キー発行用パーソナルコンピュータ（ＰＣ）１２とを有している。また、この住宅の電子キーシステムは、電子キーＫ１〜Ｋｍとの無線通信を通じて登録情報Ｉｍ１〜Ｉｍｎを同電子キーＫ１〜Ｋｍに記憶させる電子キー発行機１３も有している。
【００２１】
ここで、図３に併せ示すように、賃貸物件データベース１１には、上記登録情報Ｉｍ１〜Ｉｍｎとして、「部屋番号１〜ｎ」と共に「暗号鍵Ｃ１〜Ｃｎ」及び「タグナンバＴ１〜Ｔｎ」がそれぞれ記憶されている。ちなみにこの暗号鍵Ｃ１〜Ｃｎは、例えばＤＥＳ（Ｄａｔａ  Ｅｎｃｒｙｐｔｉｏｎ  Ｓｔａｎｄａｒｄ）方式などの共通暗号鍵方式に基づいてデータを暗号化及び復号化する際に用いられる一定の長さのビット列からなり、互いに異なる値に設定されている。また、タグナンバＴ１〜Ｔｎは、上記登録情報Ｉｍ１〜Ｉｍｎを電子キーＫ１〜Ｋｍに記憶させた回数を示す、例えば３桁の整数値からなり、図４に併せ示すように、記憶させた回数に応じて、「００１→００２→００３→・・・」といった態様にてそれぞれ更新される値である。
【００２２】
一方、電子キー発行機１３には、登録情報信号や駆動電波を電子キーＫ１〜Ｋｍに送信するイモビライザ１３ａが内蔵されている。
また一方、電子キー発行用ＰＣ１２には、賃貸物件管理会社の店員が直接操作する部分となる入力部１２ａが設けられるとともに、この入力部１２ａから入力される情報、及び上記賃貸物件データベース１１の登録情報Ｉｍ１〜Ｉｍｎが、マイクロコンピュータを中心に構成された制御装置１２ｂに取り込まれている。この制御装置１２ｂは、これらの各情報、及び同装置１２ｂのメモリに予め記憶されている所定のビット列からなる復号確認コードＤｃに基づいて登録情報コードＲｑを生成するとともに、この生成した登録情報コードＲｑを含む登録情報信号を生成する部分である。また、この制御装置１２ｂは、この登録情報信号を上記イモビライザ１３ａから送信する送信制御を実行する部分でもある。ちなみにこの制御装置１２ｂは、賃貸物件データベース１１に記憶されているタグナンバＴ１〜Ｔｎの値を更新する処理も併せて実行する。
【００２３】
さらに、電子キーＫｐには、上記駆動電波を通信部２１で受信することにより駆動電源を得て起動するトランスポンダ２０が内蔵されている。このトランスポンダ２０は、起動した状態にあるときに、上記登録情報信号を通信部２１により受信することが可能となるとともに、この受信した登録情報信号の処理が、同トランスポンダ２０の各種制御を統括的に司る制御部２２を通じて実行される。ちなみにこの制御部２２は、ＥＥＰＲＯＭ（Ｅｌｅｃｔｒｉｃ  Ｅｒａｓａｂｌｅ  Ｐｒｏｇｒａｍｍａｂｌｅ  Ｒｅａｄ  Ｏｎｌｙ  Ｍｅｍｏｒｙ）２３やＲＯＭ（Ｒｅａｄ  Ｏｎｌｙ  Ｍｅｍｏｒｙ）２４へのアクセスが可能となっている。これらのうち、ＥＥＰＲＯＭ２３は、登録情報コードＲｑを記憶するために設けられた不揮発性メモリであり、また、ＲＯＭ２４は、電子キーＫｐの識別コードＩＤｐが予め記憶されているメモリである。なお、電子キーとしてのこうした構成は、電子キーＫｐを除く他の電子キーＫ１〜Ｋｍについても同様である。
【００２４】
そして、このように構成された住宅の電子キーシステムにあって、賃貸物件管理会社の店員が、部屋を貸し出す際に必要な情報、例えば借りたい部屋をユーザから聞き出した後、このユーザから聞きだした情報を入力部１２ａに入力したとすると、次のような態様にて電子キーシステムが動作する。すなわちこのシステムでは、電子キー発行用ＰＣ１２の制御装置１２ｂが、ｑ号室を貸し出す旨の情報に基づいて賃貸物件データベース１１からｑ号室に対応する登録情報Ｉｍｑ、すなわち暗号鍵Ｃｑ及びタグナンバＴｑを取り込む。ちなみに、この制御装置１２ｂは、登録情報Ｉｍｑの取り込みの際に、タグナンバＴｑの値を「１」だけ更新する処理も併せて行う。また、図５に併せ示されるように、制御装置１２ｂは、これらタグナンバＴｑ、及びメモリに記憶された復号確認コードＤｃを組み合わせて登録情報コードＲｑを生成した後、これを上記暗号鍵Ｃｑを用いて暗号化する。さらに、制御装置１２ｂは、この暗号化された登録情報コードＲｑを含む登録情報信号を生成すると、上記イモビライザ１３ａから登録情報信号及び上記駆動電波を発する。一方、このようにイモビライザ１３ａから登録情報信号及び駆動電波が発せられている状態で、例えば店員が電子キーＫｐを電子キー発行機１３に接近させたとすると、トランスポンダ２０の通信部２１により駆動電波が受信されて、同トランスポンダ２０が起動する。これにより、トランスポンダ２０では、上記登録情報信号が通信部２１により受信されるとともに、この受信された登録情報信号が制御部２２に伝達されて、制御部２２が登録情報信号に含まれている暗号化された登録情報コードＲｑをＥＥＰＲＯＭ２３に記憶する。
【００２５】
そして、この住宅の電子キーシステムでは、こうした一連の動作を通じて電子キーＫｐの貸し出し準備が完了し、その後、ユーザがこの電子キーＫｐを使用してｑ号室の玄関ドアのロック／アンロック操作を行おうとしたときに、同電子キーＫｐの識別コードＩＤｐがｑ号室の施解錠装置に登録される。
【００２６】
図６は、ｑ号室の玄関ドアの斜視構造を示したものであり、次に、同図６を参照して、玄関ドアの構成についてその概要を説明する。
同図６に示されるように、玄関ドアの屋内側の部分には、ユーザが把持する部分となる把持部３１と、この把持部３１の上側に位置して上記電子キーＫｐと無線通信を行う部分となる通信装置３２が設けられている。ちなみにこの住宅の電子キーシステムでは、ユーザが、電子キーＫｐを通信装置３２に接近させることにより、より具体的には通信装置３２の周辺に設定された通信可能エリアＡに進入させることにより、電子キーＫｐと通信装置３２との間で無線通信が行われる。そして、こうした電子キーＫｐと通信装置３２との間の無線通信を通じて、電子キーＫｐの識別コードＩＤｐが、玄関ドアのロック／アンロックを実行する施解錠装置に登録される。これにより、電子キーＫｐの使用を通じた玄関ドアのドアのロック／アンロック操作が許可されるようになる。
【００２７】
図７は、こうした住宅の電子キーシステムのうち、電子キーＫｐ及びｑ号室の施解錠装置のそれぞれの構成をブロック図として示したものであり、次に、同図７を参照して、この電子キーシステムの構成、動作をより具体的に説明する。
【００２８】
同図７に示されるように、施解錠装置３０の通信装置３２には、電子キー発行機１３から送信される駆動電波と同様の駆動電波、及び電子キーに対して識別コードを含む識別コード信号の送信を要求する識別コード要求信号を上記通信可能エリアＡに送信するイモビライザ３２ａが設けられている。そして、このイモビライザ３２ａによる駆動電波及び識別コード要求信号の送信制御が、同じく施解錠装置３０に設けられている制御装置３３を通じて統括的に行われており、この制御装置３３は、例えば駆動電波を通信可能エリアＡに常時送信する制御を実行している。また、この制御装置３３は、ドアロック機構３４の駆動を通じて玄関ドアのロック／アンロックの制御も行うとともに、ＥＥＰＲＯＭ３３ａやＲＯＭ３３ｂへのアクセスが可能となっている。これらのうち、ＥＥＰＲＯＭ３３ａは、電子キーの識別コードを記憶するとともに、その記憶した回数をタグナンバＴｄｑとして記憶するために設けられた不揮発性メモリであり、また、ＲＯＭ３３ｂは、復号確認コードＤｄｃ及びｑ号室に対応した暗号鍵Ｃｑが予め記憶されているメモリである。ちなみに、タグナンバＴｄｑは、上記賃貸物件データベース１１に記憶されているタグナンバＴｑと同様に、例えば３桁の整数値からなり、記憶した回数に応じて、「００１→００２→００３→・・」といった態様にてそれぞれ更新される値である。また、ＲＯＭ３３ｂに記憶されている復号確認コードＤｄｃは、上記賃貸物件データベース１１や上記電子キーＫｐに記憶されている復号確認コードＤｃと同様のものである。さらに、施解錠装置としてのこうした構成は、ｑ号室を除く各部屋の施解錠装置についても同様である。ただし、１号室〜ｎ号室の玄関ドアに設けられた施解錠装置についてそれぞれ制御装置のＲＯＭには、各部屋に対応した上記暗号鍵Ｃ１〜Ｃｎがそれぞれ格別に記憶されている。すなわち、例えば１号室の施解錠装置にあっては、その制御装置のＲＯＭに暗号鍵Ｃ１が、また、２号室の施解錠装置にあっては、その制御装置のＲＯＭに暗号鍵Ｃ２がそれぞれ記憶されている。
【００２９】
なお、登録消去用電子キーＫｅの基本的な構成は、上述した電子キーＫｐの構成と同様である。ただし、登録消去用電子キーＫｅは、上記イモビライザ３２ａから送信されている駆動電波を受信して起動したときに、識別コード消去信号を施解錠装置３０に送信する電子キーとして機能する。そして、施解錠装置３０では、識別コード消去信号をイモビライザ３２ａにより受信してこれを制御装置３３に伝達するとともに、制御装置３３は、識別コード消去信号が伝達されると、ＥＥＰＲＯＭ３３ａに記憶されている電子キーの識別コードの消去を行う。
【００３０】
一方、例えば電子キーＫｐは、上記イモビライザ３２ａから送信される駆動電波を受信して起動したとすると、次のような態様にて動作する。すなわち、電子キーＫｐでは、トランスポンダ２０の起動に伴って、制御部２２が、ＥＥＰＲＯＭ２３に記憶されている登録情報コードＲｑを含む登録情報信号を生成してこれを通信部２１に伝達することにより、この登録情報信号を施解錠装置３０に送信する。さらに、このトランスポンダ２０では、起動した状態にあるときに、上記識別コード要求信号が通信部２１により受信されると、この識別コード要求信号が制御部２２に伝達される。そして、制御部２２では、こうして識別コード要求信号が伝達されると、ＲＯＭ２４に記憶されている識別コードＩＤｐを含む識別コード信号を生成してこれを通信部２１に伝達することにより、この識別コード信号を施解錠装置３０に送信する。なお、電子キーとしてのこうした動作は、電子キーＫｐを除く他の電子キーＫ１〜Ｋｍについても同様である。
【００３１】
そして、上記施解錠装置３０は、例えば電子キーＫｐとの間の無線通信を通じてこれら各種信号の授受を行うことにより、電子キーＫｐの識別コードＩＤｐの登録と玄関ドアのロック／アンロックとを行う。
【００３２】
図８は、上記通信可能エリアＡに電子キーＫｐが進入したときに、すなわちトランスポンダ２０が起動して同トランスポンダ２０から上記登録情報信号が送信されたときに、施解錠装置３０を通じて実行される電子キーＫｐの識別コードＩＤｐの登録及び玄関ドアのロック／アンロックにかかる処理をフローチャートとして示したものである。以下、この図８を参照して同処理の具体的手順を総括する。なお、この図８に示す処理は、実際には所定の演算周期をもって繰り返し実行される。また、上記タグナンバＴｄｑは、その初期値として「０００」の値に設定されている。
【００３３】
同図８に示されるように、この処理では、はじめに、上記登録情報信号を受信することができたか否かが判断される（ステップＳ１）。そして、登録情報信号を受信することができない旨が判断された場合には（ステップ１：ＮＯ）、この一連の処理が一旦終了される。一方、登録情報信号を受信することができた旨が判断された場合には（ステップＳ１：ＹＥＳ）、同登録情報信号に含まれている暗号化された登録情報コードＲｑを、ＲＯＭ３３ｂに記憶されている暗号鍵Ｃｑにより復号化するとともに（ステップＳ２）、暗号化された登録情報コードＲｑを復号化することができたか否かが判断される（ステップＳ３）。このステップＳ３の処理では、具体的には、登録情報コードＲｑに含まれている復号確認コードＤｃと、ＲＯＭ３３ｂに記憶されている復号確認コードＤｄｃとを照合して、この照合を通じて互いのコードが一致している旨が判断されたとき、登録情報コードＲｑを複合化することができた旨が判断される。
【００３４】
そして、登録情報コードＲｑを復号化することができた旨が判断されると（ステップＳ３：ＹＥＳ）、今度は登録情報コードＲｑに含まれているタグナンバＴｑの値とＥＥＰＲＯＭ３３ａに記憶されているタグナンバＴｄｑの値とが一致しているか否かが判断される（ステップＳ４）。
【００３５】
さらに、このステップＳ４の処理を通じて、タグナンバＴｑ，Ｔｄｑのそれぞれの値が互いに一致している旨が判断された場合には（ステップＳ４：ＹＥＳ）、次に、上記識別コード要求信号が電子キーＫｐに送信されて電子キーＫｐの識別コードＩＤｐが取得される（ステップＳ５）。そして、この取得された識別コードＩＤｐがＥＥＰＲＯＭ３３ａに記憶されるとともに（ステップＳ６）、上記ＥＥＰＲＯＭ３３ａに記憶されているタグナンバＴｄｑの値がインクリメントされる（ステップＳ７）。
【００３６】
その後、上記識別コード要求信号が電子キーＫｐに再び送信されて電子キーＫｐの識別コードＩＤｐが取得されると（ステップＳ１０）、この取得した識別コードＩＤｐと、ＥＥＰＲＯＭ３３ａに記憶されている識別コードとが一致しているか否かの判定が行われる（ステップＳ１１）。そしてこの照合を通じて、互いの識別コードが一致している旨が判定された場合には（ステップＳ１１：ＹＥＳ）、ドアロック機構３４を通じた玄関ドアのロック／アンロックにかかる処理が実行される（ステップＳ１２）。ちなみに、このステップＳ１２の処理では、玄関ドアがロックされているときには玄関ドアをアンロックする操作を、また、玄関ドアがアンロックされているときには玄関ドアをロックする操作をそれぞれ実行する。
【００３７】
一方、例えば電子キーＫｐとは別の電子キーが通信可能エリアＡに進入するなどして、登録情報コードＲｑを復号化することができない旨が判断された場合（ステップＳ３：ＮＯ）、あるいはタグナンバＴｑ，Ｔｄｑのそれぞれの値が互いに一致しない旨が判断された場合には（ステップＳ４：ＮＯ）、上記ステップＳ１０及びＳ１１の処理が直ちに実行される。すなわち、上記ステップＳ６の識別コードの登録処理が行われることなく、電子キーの識別コードの照合が行われる。また、上記ステップＳ１１の処理を通じて、電子キーの識別コードとＥＥＰＲＯＭ３３ａに記憶されている識別コードとが互いに一致していない旨が判断された場合には（ステップＳ１１）、この一連の処理が一旦終了される。
【００３８】
住宅の電子キーシステムとしてのこうした構成によれば、電子キーＫｐを所持したユーザは、電子キーＫｐをｑ号室の通信装置３２に近づけて同電子キーＫｐと施解錠装置３０との間で無線通信を行うだけで、電子キーＫｐの識別コードＩＤｐを施解錠装置３０に登録することができるようになる。このため、前述した登録ボタンのプッシュ操作を通じて電子キーの識別コードの登録を行う住宅の電子キーシステムと比較すると、登録ボタンをプッシュ操作する作業を省略することができる分だけ、ユーザの手間を省くことができるようになる。
【００３９】
また、例えば電子キーＫ１に、１号室に対応した暗号鍵Ｃ１により暗号化された登録情報コードＲｑが記憶されているとしたときに、この電子キーＫ１を所持したユーザが、電子キーＫ１をｑ号室の通信装置３２に近づけたとしても、暗号鍵Ｃｑの記憶されている施解錠装置３０では電子キーＫ１の登録情報コードＲｑを復号化することができない。すなわち、施解錠装置３０に電子キーＫ１の識別コードＩＤ１が登録されることはなく、電子キーＫｐの識別コードＩＤｐのみが施解錠装置３０に登録されるようになる。これにより、第三者による電子キーの識別コードの不正登録を未然に防止することができるようになる。
【００４０】
さらに、登録消去用電子キーＫｅの使用を通じて施解錠装置３０に登録されている識別コードを消去するようにすることで、例えば登録消去ボタンのプッシュ操作を通じて識別コードの消去を行う住宅の電子キーシステムと比較すると、登録消去ボタンをプッシュ操作する作業を省略することができる分だけ、ユーザの手間を省くことができるようになる。
【００４１】
また、施解錠装置３０では、電子キーの識別コードの登録の際に、ＥＥＰＲＯＭ３３ａに記憶されているタグナンバＴｄｑの値が更新されるため、不正に複製された電子キーに記憶されているタグナンバＴｑと、施解錠装置３０に記憶されているタグナンバＴｄｑとが互いに異なる値となる。このため、第三者が、不正に複製された電子キーの登録情報コードにて施解錠装置３０に再度登録しようとしたとしても、その電子キーの識別コードが施解錠装置３０に登録されることはないため、第三者による識別コードの不正登録を防止することができるようになる。
【００４２】
以上説明したように、本実施形態にかかる電子キーシステムによれば、以下のような効果が得られるようになる。
（１）１号室〜ｎ号室の各部屋の施解錠装置に暗号鍵Ｃ１〜Ｃｎを各別に記憶させるようにした上で、電子キーから、貸し出す部屋の施解錠装置に対応する暗号鍵により暗号化された登録情報コードを含む登録情報信号、及び識別コードを含む識別コード信号をそれぞれ送信するようにした。また、施解錠装置では、同装置に記憶されている暗号鍵により上記登録情報コードを復号化することができた旨の判定、並びに同登録情報コードに含まれているタグナンバと同装置に記憶されているタグナンバとが互いに一致した旨の判定に基づいて、電子キーの識別コードの登録を行うようにした。これにより、電子キーの識別コードの不正登録を未然に防止することができるようになるため、電子キーシステムとしてのセキュリティ性を維持することができるようになるとともに、電子キーの識別コードを施解錠装置に登録するに際しての利便性を高めることができるようになる。
【００４３】
（２）登録消去用電子キーＫｅの使用を通じて、施解錠装置に登録されている識別コードを消去するようにした。これにより、施解錠装置に登録されている識別コードを消去するに際しての利便性を高めることができるようになる。
【００４４】
なお、上記実施形態は、これを適宜変更した以下の形態にて実施することもできる。
・上記実施形態では、タグナンバＴｑ，Ｔｄｑとして、電子キーの識別コードを施解錠装置に登録した回数を用いるようにしたが、これに代えて、例えば電子キー発行用ＰＣ１２の制御装置１２ｂが賃貸物件データベース１１から登録情報Ｉｍ１〜Ｉｍｎを取得した時間（電子キー発行時間）を用いるようにしてもよい。具体的には、電子キー発行用ＰＣ１２の制御装置１２ｂが、賃貸物件データベース１１から登録情報Ｉｍ１〜Ｉｍｎを取得したときに、取得した時間に基づいて時間情報コードを生成するとともに、上記タグナンバＴｑ、復号確認コードＤｃ、及び時間情報コードを組み合わせた後、これを暗号鍵Ｃｑで暗号化することにより登録情報コードＲｑを生成する。一方、施解錠装置３０は、登録情報コードＲｑを復号化することにより時間情報コードを取得するとともに、取得した時間情報コードをＥＥＰＲＯＭ３３ａに記憶する。また、施解錠装置３０は、先の図８に例示した処理のステップＳ４の処理に代えて、電子キーから送信された登録情報コードＲｑに含まれている時間情報コードの示す時間が、ＥＥＰＲＯＭ３３ａに記憶されている時間情報コードの示す時間よりも以後のものであるか否かを判断する。そして、施解錠装置３０は、登録情報コードＲｑに含まれている時間情報コードの示す時間が、ＥＥＰＲＯＭ３３ａに記憶されている時間情報コードの示す時間よりも以後のものである旨を判断したとき、ステップＳ５及びＳ６の処理を通じて電子キーの識別コードをＥＥＰＲＯＭ３３ａに記憶する。こうした構成によっても、識別コードの不正登録を防止することができる。
【００４５】
・上記登録情報コードＲｑに、電子キーの識別コードの有効期限を示す制限情報コードを更に加えるようにした上で、施解錠装置３０が、この制限情報コードに含まれている識別コードの有効期限に基づいて、ＥＥＰＲＯＭ３３ａに記憶されている識別コードを消去する処理を実行するようにしてもよい。具体的には、先の図２に示されるように、例えば賃貸物件会社の店員が、ユーザから部屋を借りたい期間を聞き出した後、この貸し出し期間を電子キー発行用ＰＣ１２の入力部１２ａに入力したとする。このとき、電子キー発行用ＰＣ１２の制御装置１２ｂでは、この貸し出し期間に基づいて制限情報コードを生成するとともに、上記タグナンバＴｑ、復号確認コードＤｃ、及び制限情報コードを組み合わせた後、これを暗号鍵Ｃｑで暗号化することにより登録情報コードＲｑを生成する。一方、施解錠装置３０では、登録情報コードＲｑを復号化することにより制限情報コードを取得するとともに、取得した制限情報コードに基づいて貸し出し期間が経過した旨を判断したとき、ＥＥＰＲＯＭ３３ａに記憶されている識別コードを消去する処理を実行する。これにより、施解錠装置３０に登録されている電子キーの識別コードの登録時期が、貸し出し期間に達すれば、すなわち有効期限に達すれば電子キーの識別コードが自動的に消去されるため、電子キーによる玄関ドアのロック／アンロックを行うことができなくなる。したがって、仮に電子キーの貸し出し期間中に電子キーが不正に複製されるようなことがあったとしても、電子キーの登録時期が有効期限に達すれば、不正に複製された電子キーによるドアのロック／アンロックが禁止されるようになる。これにより、電子キーを複製した者による電子キーの不正な使用を未然に防止することができるようになるため、電子キーシステムとしてのセキュリティ性をさらに高めることができるようになる。
【００４６】
・上記実施形態では、電子キーＫｐと電子キー発行機１３との間の無線通信、及び電子キーＫｐと施解錠装置３０との間の無線通信を、いわゆるトランスポンダ通信を用いて行うようにした。これに代えて、電子キーＫｐとして電池を駆動電源とする構造を採用するようにした上で、例えば施解錠装置３０から送信されるリクエスト信号に応じて電子キーＫｐが上記各種信号を送信する、いわゆるスマート通信を用いて行うようにしてもよい。
【００４７】
・上記実施形態では、本発明にかかる電子キーシステムを、玄関ドアのロック／アンロックを行う住宅の電子キーシステムに適用するようにしたが、これに代えて、例えば貸し倉庫のドアのロック／アンロックを行う電子キーシステムや、ホテルのドアのロック／アンロックを行う電子キーシステムに適用するようにしてもよい。また、例えばレンタカーの車両ドアのロック／アンロックを行う、いわゆる車両の電子キーシステムに適用するようにしてもよい。なお、本発明にかかる電子キーシステムを車両の電子キーシステムに採用するようにした場合には、上記制限情報コードとして、車速制限、走行距離制限、使用日数制限、及び灰皿使用制限などに基づくコードを用いるようにしてもよい。また、車両の電子キーシステムの電子キーと住宅の電子キーシステムの電子キーとを共有するようにしてもよい。
【００４８】
・上記実施形態では、登録情報コードＲｑにタグナンバＴｑを含めるようにしたが、このタグナンバＴｑを割愛するようにしてもよい。すなわちこの場合には、上記施解錠装置３０の制御装置３３のＥＥＰＲＯＭ３３ａに、タグナンバＴｄｑを記憶する必要がなくなるとともに、先の図８に例示した処理では、ステップＳ５及びステップＳ７の各処理を省略することができるようになる。
【００４９】
・上記実施形態では、登録消去信号の送信を、登録消去用電子キーＫｅの使用を通じて行うようにしたが、これに代えて、例えば通信ネットワークなどを利用して上記電子キー発行用ＰＣ１２から施解錠装置３０に送信するようにしてもよい。ちなみに、こうした通信ネットワークとして、例えば無線ネットワークを採用して、電子キー発行用ＰＣ１２と施解錠装置３０との間の無線通信を通じて電子キー発行用ＰＣ１２から施解錠装置３０に登録消去用信号を送信するようにすれば、有線ネットワークを採用するようにした場合と比較すると、システムとしてのコストの低減を図ることができる。また、例えば施解錠装置３０に新たな識別コードが登録されたときに、以前の識別コードを消去するようにしてもよい。具体的には、先の図８に例示した処理において、ステップＳ５の処理に続いて施解錠装置３０のＥＥＰＲＯＭ３３ａに記憶されている識別コードを消去する処理を実行すればよい。いずれの構成によっても、ユーザによる登録消去用電子キーＫｅの使用の手間を省くことができるようになるため、電子キーの識別コードを消去する際の利便性を高めることができるようになる。
（付記）
次に、上記実施形態及びその変形例から把握できる技術的思想について追記する。
【００５０】
（イ）請求項２に記載の電子キーシステムにおいて、前記登録情報の記憶されたデータベースと、同データベースに記憶された登録情報を前記電子キーに記憶させる装置を更に備え、前記登録情報には、前記登録情報を前記電子キーに記憶させた回数を示す情報が含まれ、前記施解錠装置は、前記識別コードを前記施解錠装置に登録した回数をカウントするとともに、前記電子キーの識別コードの登録を、前記登録情報を前記電子キーに記憶させた回数と同装置に記憶されている前記登録回数とが互いに一致しているか否かの判定に基づいて行うことを特徴とする電子キーシステム。同システムによれば、登録情報を電子キーに記憶させた回数と、施解錠装置が識別コードの登録を行った回数とが互いに一致しなければ、電子キーの識別コードが登録されることはないため、例えば第三者が不正に複製した電子キーの識別コードを施解錠装置に登録することが難しくなる。このため、識別コードを施解錠装置に登録するに際してのセキュリティレベルを高めることができるようになり、ひいては施解錠装置への識別コードの不正な登録を未然に防止することができるようになる。
【００５１】
（ロ）請求項２又は付記イに記載の電子キーシステムにおいて、前記登録情報には、前記電子キーの識別コードの有効期限を示す情報が含まれ、前記施解錠装置は、前記登録されている電子キーの識別コードの登録時期が前記有効期限に達した旨を判断したとき、前記有効期限に達した電子キーの識別コードを消去することを特徴とする電子キーシステム。同システムによれば、電子キーの識別コードの登録時期が有効期限に達すれば施解錠装置に登録されている電子キーの識別コードが自動的に消去されるため、電子キーの識別コードが施解錠装置から消去された後にあっては、電子キーによるドアのロック／アンロックを行うことができなくなる。このため、ユーザは、例えば電子キーを貸し出す期間に合わせて電子キーの識別コードの有効期限を適宜設定するようにすることで、仮に貸し出し期間中に電子キーが不正に複製されるようなことがあったとしても、電子キーの登録時期が有効期限に達すれば、不正に複製された電子キーによるドアのロック／アンロックが禁止されるようになる。これにより、電子キーを複製した者による電子キーの不正な使用を未然に防止することができるようになるため、電子キーシステムとしてのセキュリティ性をさらに高めることができるようになる。
【符号の説明】
【００５２】
１１…賃貸物件データベース、１２…電子キー発行用パーソナルコンピュータ、１２ａ…入力部、１２ｂ，３３…制御装置、１３…電子キー発行機、１３ａ，３２ａ…イモビライザ、２０…トランスポンダ、２１…通信部、２２…制御部、２３，３３ａ…ＥＥＰＲＯＭ、２４，３３ｂ…ＲＯＭ、３０…施解錠装置、３１…把持部、３２…通信装置、３４…ドアロック機構。
【図１】
2010168751.tif 000003
【図２】
2010168751.tif 000004
【図３】
2010168751.tif 000005
【図４】
2010168751.tif 000006
【図５】
2010168751.tif 000007
【図６】
2010168751.tif 000008
【図７】
2010168751.tif 000009
【図８】
2010168751.tif 000010